(57)【特許請求の範囲】
【請求項１】
イヤホンが挿入されている端末装置の状態情報を取得するステップと、
前記状態情報が予め設定された条件を満たしているか否かを判断するステップであって、前記予め設定された条件は、端末装置の振動の頻度が予め設定された時間内で非ゼロである条件、端末装置の実行中のアプリケーションが所定のアプリケーションである条件、端末装置のスクリーン状態がオフ状態に置かれている条件、及び取得された画像の中に人の顔が写っていない条件の中の少なくとも一つを含むステップと、
前記状態情報が予め設定された条件中の一つ又は複数を満たしている場合、前記端末装置の警報モードを起動するステップと、を含み、
前記状態情報は、前記端末装置の振動の頻度、前記端末装置の実行中のアプリケーションの情報、前記端末装置のスクリーンがオフ状態になっているかの情報、前記端末装置のフロントカメラが捉えた画像の中に人の顔が写っているかの情報、の中の一つ又は複数を含み、
前記端末装置の警報モードを起動した後、更に、
前記イヤホンが抜かれたか否かを検出するステップと、
前記イヤホンが抜かれたと検出されたとき、警報を出す操作を実行するステップと、を含み、
警報を出す操作を実行するとき、前記端末装置へのイヤホンの挿入が検出されても、引き続き警報を出す操作を実行する、ことを特徴とする端末装置を保護する方法。
【請求項２】
前記警報を出す操作は、音声警報、振動警報、フラッシュ警報及びパスワードでロックを解除すべきスクリーンロック操作、の中の一つ又は複数を含むことを特徴とする請求項１に記載の端末装置を保護する方法。
【請求項３】
イヤホンが挿入されている端末装置の状態情報を取得する取得モジュールと、
前記状態情報が予め設定された条件を満たしているか否かを判断する判断モジュールであって、前記予め設定された条件は、端末装置の振動の頻度が予め設定された時間内で非ゼロである条件、端末装置の実行中のアプリケーションが所定のアプリケーションである条件、端末装置のスクリーン状態がオフ状態に置かれている条件、及び取得された画像の中に人の顔が写っていない条件の中の少なくとも一つを含む判断モジュールと、
前記状態情報が予め設定された条件中の一つ又は複数を満たしている場合、前記端末装置の警報モードを起動する起動モジュールと、を含み、
前記状態情報は、前記端末装置の振動の頻度、前記端末装置の実行中のアプリケーションの情報、前記端末装置のスクリーンがオフ状態になっているかの情報、前記端末装置のフロントカメラが捉えた画像の中に人の顔が写っているかの情報、の中の一つ又は複数を含み、
更に、前記端末装置の警報モードが起動された後、前記イヤホンが抜かれたか否かを検出する検出モジュールと、
前記イヤホンが抜かれたと検出されたとき、警報を出す操作を実行する実行モジュールと、を含み、
前記実行モジュールは更に、警報を出す操作を実行するとき、前記端末装置へのイヤホンの挿入が検出されても、引き続き警報を出す操作を実行する、ことを特徴とする端末装置を保護する装置。
【請求項４】
前記警報を出す操作は、音声警報、振動警報、フラッシュ警報及びパスワードでロックを解除すべきスクリーンロック操作、の中の一つ又は複数を含むことを特徴とする請求項３に記載の端末装置を保護する装置。
【請求項５】
プロセッサと、
プロセッサが実行可能な指令を記憶するメモリとを含み、
前記プロセッサは、
イヤホンを挿入されている端末装置の状態情報を取得し、
前記状態情報が予め設定された条件を満たしているか否かを判断し、前記予め設定された条件は、端末装置の振動の頻度が予め設定された時間内で非ゼロである条件、端末装置の実行中のアプリケーションが所定のアプリケーションである条件、端末装置のスクリーン状態がオフ状態に置かれている条件、及び取得された画像の中に人の顔が写っていない条件の中の少なくとも一つを含み、
前記状態情報が予め設定された条件中の一つ又は複数を満たしている場合、前記端末装置の警報モードを起動するように配置され、
前記状態情報は、前記端末装置の振動の頻度、前記端末装置の実行中のアプリケーションの情報、前記端末装置のスクリーンがオフ状態になっているかの情報、前記端末装置のフロントカメラが捉えた画像の中に人の顔が写っているかの情報、の中の一つ又は複数を含み、
前記端末装置の警報モードを起動した後、更に、
前記イヤホンが抜かれたか否かを検出するステップと、
前記イヤホンが抜かれたと検出されたとき、警報を出す操作を実行するステップと、を含み、
警報を出す操作を実行するとき、前記端末装置へのイヤホンの挿入が検出されても、引き続き警報を出す操作を実行する、ことを特徴とする端末装置を保護する装置。
【請求項６】
プロセッサに実行されることにより、請求項１または請求項２に記載の端末装置を保護する方法を実現することを特徴とするプログラム。
【請求項７】
請求項６に記載のプログラムが記録された記録媒体。
【発明の詳細な説明】
【相互参照】
【０００１】
本願は出願番号がＣＮ２０１４１００５６９１２０であって、出願日が２０１４年２月１９日である中国特許出願に基づき、優先権を主張し、当該中国特許出願のすべての内容は本願に援用する。
【技術分野】
【０００２】
本発明は端末技術分野に関わり、更に具体的には、端末装置を保護する方法、装置、端末装置、プログラム及び記録媒体に関わる。
【背景技術】
【０００３】
端末技術が絶えず発展するにつれて、端末装置の機能は益々多様化しており、人々に優れた使用体験を提供し、人々は益々、様々な行事において端末装置を使用するようになってきている。例えば、公共交通の乗車時に端末装置を使ってインターネットに接続したり、音楽を聴いたり、動画を見たりすることなどもあれば、またランニングの際、端末装置を使って音楽を聴いたり、ランニングに関する情報（ランニングのルート、ランニングの時間）を記録したりすることもある。
【０００４】
人々が益々、様々な行事において端末装置を使用するに伴って、特に公衆の場で端末装置を使用する際、端末装置は不法者の盗みの標的となる。例えば、ユーザが端末装置にイヤホンを挿して音楽を聴いているとき、通常、端末装置を服のポケット又は持ち運んでいる鞄に入れており、これは不法者に隙を与えてしまう。不法者は端末装置を取り出した後、素早くイヤホンを抜いて逃走する。従って、端末装置を保護できる方法が早急に必要となる。
【発明の概要】
【０００５】
関連技術に存在する問題を解決するために、本発明は端末装置を保護する方法、装置及び端末装置を提供し、防犯の効果を奏することができる。
【０００６】
本発明の実施例の第１態様によれば、イヤホンが挿入されている端末装置の状態情報を取得するステップと、
前記状態情報が予め設定された条件を満たしているか否かを判断するステップと、
前記状態情報が予め設定された条件を満たしている場合、前記端末装置の警報モードを起動するステップと、
を含む、端末装置を保護する方法が提供される。
【０００７】
本発明の一つの実施例において、前記状態情報は、前記端末装置が置かれている環境情報、前記端末装置の運動情報、前記端末装置の実行中のアプリケーション、前記端末装置のスクリーンがオフ状態になっているか、前記端末装置のフロントカメラが捉えた画像の中に人の顔が写っているか、の中の一つ又は複数を含む。
【０００８】
本発明の一つの実施例において、前記端末装置が置かれている環境情報は、前記端末装置のＧＰＳ情報及び前記端末装置が置かれているＷｉ−Ｆｉネットワークの名称、の中の一つ又は複数を含む。
【０００９】
本発明の一つの実施例において、前記設備端末の警報モードを起動した後、更に、
前記イヤホンが抜かれたか否かを検出するステップと、
前記イヤホンが抜かれたと検出されたとき、警報を出す操作を実行するステップと、
を含む。
本発明の一つの実施例において、前記警報を出す操作は、音声警報、振動警報、フラッシュ警報及びパスワードでロックを解除すべきスクリーンロック操作、の中の一つ又は複数を含む。
【００１０】
本発明の一つの実施例において、警報を出す操作を実行するとき、前記端末装置へのイヤホンの挿入が検出されても、引き続き警報を出す操作を実行する。
【００１１】
本発明の実施例の第２態様によれば、イヤホンが挿入されている端末装置の状態情報を取得する取得モジュールと、
前記状態情報が予め設定された条件を満たしているか否かを判断する判断モジュールと、
前記状態情報が予め設定された条件を満たしている場合、前記端末装置の警報モードを起動する起動モジュールと、
を含む、端末装置を保護する装置が提供される。
【００１２】
本発明の一つの実施例において、前記状態情報は、前記端末装置が置かれている環境情報、前記端末装置の運動情報、前記端末装置の実行中のアプリケーション、前記端末装置のスクリーンがオフ状態になっているか否か、前記端末装置のフロントカメラが捉えた画像の中に人の顔が写っているか、の中の一つ又は複数を含む。
【００１３】
本発明の一つの実施例において、前記端末装置が置かれている環境情報は、前記端末装置のＧＰＳ情報及び前記端末装置が置かれているＷｉ−Ｆｉネットワークの名称、の中の一つ又は複数を含む。
【００１４】
本発明の一つの実施例において、更に、前記端末装置の警報モードが起動された後、前記イヤホンが抜かれたか否かを検出する検出モジュールと、
前記イヤホンが抜かれたと検出されたとき、警報を出す操作を実行する実行モジュールと、
を含む。
【００１５】
本発明の一つの実施例において、前記警報を出す操作は、音声警報、振動警報、フラッシュ警報及びパスワードでロックを解除すべきスクリーンロック操作、の中の一つ又は複数を含む。
【００１６】
本発明の一つの実施例において、前記実行モジュールは更に、警報を出す操作を実行するとき、前記端末装置へのイヤホンの挿入が検出されても、引き続き警報を出す操作を実行する。
【００１７】
本発明の実施例の第３態様によれば、プロセッサと、
プロセッサが実行可能な指令を記憶するメモリとを含み、
前記プロセッサは、
イヤホンを挿入されている端末装置の状態情報を取得し、
前記状態情報が予め設定された条件を満たしているか否かを判断し、
前記状態情報が予め設定された条件を満たしている場合、前記端末装置の警報モードを起動するように配置される、端末装置を保護する装置が提供される。
【００１８】
本発明の実施例の第４態様によれば、プロセッサに実行されることにより、前記端末装置を保護する方法を実現するプログラムが提供される。
【００１９】
本発明の実施例の第５態様によれば、前記プログラムが記録された記録媒体が提供される。
【００２０】
本発明の実施例が提供する技術方案は以下のような有益な効果を含むことができる。
【００２１】
端末装置の状態情報により端末装置の警報モードを起動するか否かを判断するので、端末装置自体の状態情報をもとに警報モードを起動する方法を実現し、ユーザが手動で端末装置の警報モードを起動する必要が無くなり、ユーザの使用体験を高めた。また、端末装置自体の状態情報に基づいて適時に警報モードを起動するので、ユーザが警報モードを起動するのを忘れる状況を避け、端末装置の防犯性を更に高めた。
【００２２】
以上の一般な説明及び以下の詳細な説明は単なる例示及び解釈に過ぎず、本発明を限定するものではないことを理解すべきである。
【図面の簡単な説明】
【００２３】
ここでの図面は明細書に取り込まれて本明細書の一部分を構成し、本発明に合致する実施例を示し、明細書と共に本発明の原理の解釈に用いられる。
【００２４】
【図１】一つの例示的な実施例にかかる、端末装置を保護する方法のフローチャートである。
【図２】一つの例示的な実施例にかかる、端末装置を保護する方法のフローチャートである。
【図３】一つの例示的な実施例にかかる、端末装置を保護する方法のフローチャートである。
【図４】一つの例示的な実施例にかかる、端末装置を保護する方法のフローチャートである。
【図５】一つの例示的な実施例にかかる、端末装置を保護する方法のフローチャートである。
【図６】一つの例示的な実施例にかかる、端末装置を保護する方法のフローチャートである。
【図７】一つの例示的な実施例にかかる、端末装置を保護する装置の模式図である。
【図８】一つの例示的な実施例にかかる、端末装置を保護する装置の模式図である。
【図９】一つの例示的な実施例にかかる装置のブロック図である。
【発明を実施するための形態】
【００２５】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２６】
図１は一つの例示的な実施例にかかる、端末装置を保護する方法のフローチャートである。図１に示すように、端末装置を保護する該方法は端末装置に使用され、該方法は以下のステップを含む。
【００２７】
ステップＳ１０１において、イヤホンが挿入されている端末装置の状態情報を取得する。
【００２８】
ここで、状態情報には、前記端末装置が置かれている環境情報、該端末装置の運動情報、該端末装置の実行中のアプリケーション及び、該端末装置のスクリーンがオフ状態になっているか、の中の一つ又は複数が含まれるが、ここに限定されたのではない。
【００２９】
端末装置が置かれている環境情報は例えば、端末装置のＧＰＳ情報及び端末装置が置かれているＷｉ−Ｆｉネットワークの名称を含んでいる。
【００３０】
端末装置の運動情報には例えば、端末装置の振動の頻度、端末装置の変位、端末装置の速度及び端末装置の加速度の一つ又は複数が含まれるが、ここに限定されたのではない。
【００３１】
ステップＳ１０２において、前記状態情報が予め設定された条件を満たしているか否かを判断する。
【００３２】
ステップＳ１０３において、前記状態情報が予め設定された条件を満たしている場合、前記端末装置の警報モードを起動する。
【００３３】
端末装置の警報モードとは、端末装置に挿入されたイヤホンが抜かれた際、端末装置が警報を出す操作を行うことでユーザに通知することを指し、警報を出す操作には、音声警報、振動警報、フラッシュ警報及び、パスワードでロックを解除すべきスクリーンロック操作の一つ又は複数が含まれるが、ここに限定されたのではない。
【００３４】
本発明が提供する端末装置を保護する方法は、端末装置の状態情報により端末装置の警報モードを起動するか否かを判断するので、端末装置自体の状態情報をもとに警報モードを起動する方法を実現し、ユーザが手動で端末装置の警報モードを起動する必要が無くなり、ユーザの使用体験を高めた。また、端末装置自体の状態情報に基づいて適時に警報モードを起動するので、ユーザが警報モードを起動するのを忘れる状況を避け、端末装置の防犯性を更に高めた。
【００３５】
図２はもう一つの例示的な実施例にかかる、端末装置を保護する方法のフローチャートであり、図２に示すように、該端末装置を保護する方法は端末装置に使用され、該実施例において、前記端末装置の警報モードを起動する、予め設定された条件は、端末装置の振動の頻度が予め設定された時間内で非ゼロであることである。該方法は以下のステップを含む。
【００３６】
ステップＳ２０１において、端末装置にイヤホンが挿入されているか否かを判断し、挿入されている場合はステップＳ２０２を実行し、挿入されていない場合はそれで終了する。
【００３７】
ステップＳ２０２において、イヤホンが挿入されている端末装置の振動の頻度を取得する。
【００３８】
端末装置に配置された振動センサ、加速度センサ等によって、端末装置の運動情報を取得することができる。また、ＧＰＳ技術を利用して端末装置の運動情報を取得することもできる。例えば、人の移動はＧＰＳ戻り値の変化を引き起こし、これにより、ＧＰＳ値の変化を検出することができ、端末装置が位置の絶えず変化する運動状態に置かれているか否かを判断する。端末装置を使用するユーザが歩行又はランニング状態に置かれているとき、ユーザが持ち運んでいる端末装置にも相応する加速度、振動の頻度又は変位が生じる。従って、端末装置の運動情報に基づいてユーザ（及び端末装置）が運動状態に置かれているか否かを判断することができる。
【００３９】
ステップＳ２０３において、取得した振動の頻度が予め設定された時間内で非ゼロであるか否かを判断し、非ゼロである場合はステップＳ２０４を実行し、ゼロである場合はそれで終了する。
【００４０】
運動情報における振動の頻度が非ゼロである場合、端末装置が運動状態に置かれていると判断する。
【００４１】
ステップＳ２０４において、端末装置の警報モードを起動する。
【００４２】
ステップＳ２０５において、端末装置に挿入されたイヤホンが抜かれたか否かを検出し、抜かれた場合はステップＳ２０６を実行し、抜かれてない場合は再び該ステップを実行する。
【００４３】
スマートフォンのイヤホンを抜き挿す過程では、電流の微少変化が生じる。この電流の変化を検出することによって、イヤホンの抜き挿しの状態と動作過程を判断することができる。
【００４４】
ステップＳ２０６において、警報を出す操作を実行する。
【００４５】
ここで、警報を出す操作には音声警報、振動警報、フラッシュ警報及びパスワードでロックを解除すべきスクリーンロック操作の中の一つ又は複数が含まれるが、ここに限定されたのではない。例えば、警報を出す操作は、システムの最大値の音声警報、ＬＥＤ最強光の光、携帯電話の最強振動の頻度の振動及び、スクリーンにパスワード入力画面が表示され、ユーザが予め設定された図形又は数字を入力することでロックが解除できる操作を含み、ロック解除が完成するまでに、携帯電話は如何なる指令を実行することもできない。パスワードの入力が間違っている場合、パスワードの入力が正確になるまでに、スクリーンはロックの状態を保つ。パスワードを正確に入力した後で、警報は解除され、音声が止まり、ＬＥＤフラッシュライトは消え、振動が停止し、携帯電話は正常に戻る。
【００４６】
本実施例において、端末装置が運動状態に置かれていると検出されることさえであれば、端末装置の警報モードを起動し、これにより歩行、ランニング等の運動状態に置かれるユーザが使用する端末装置に保護を提供する。
【００４７】
図３はもう一つの例示的な実施例にかかる、端末装置を保護する方法のフローチャートであり、図３に示すように、該端末装置を保護する方法は端末装置に使用され、該実施例において、前記端末装置の警報モードを起動する、予め設定された条件は、端末装置のＧＰＳ情報が予め設定された位置以外に位置することである。該方法は以下のステップを含む。
【００４８】
ステップＳ３０１において、端末装置にイヤホンが挿入されているか否かを判断し、挿入されている場合はステップＳ３０２を実行し、挿入されていない場合はそれで終了する。
【００４９】
ステップＳ３０２において、イヤホンが挿入されている端末装置のＧＰＳ情報を取得する。
【００５０】
ステップＳ３０３において、取得されたＧＰＳ情報が予め設定された位置以外に位置しているか否かを判断し、予め設定された位置以外にある場合はステップＳ３０４を実行し、予め設定された位置以外に位置していない場合はそれで終了する。
予め設定された位置は例えば家、会社の位置を含み、取得されたＧＰＳ情報に基づいて端末装置が家又は会社に位置するか否かが知ることができる。
【００５１】
ステップＳ３０４において、端末装置の警報モードを起動する。
【００５２】
ステップＳ３０５において、端末装置に挿入されたイヤホンが抜かれたか否かを検出し、抜かれた場合はステップＳ３０６を実行し、抜かれてない場合は再び該ステップを実行する。
【００５３】
ステップＳ３０６において、警報を出す操作を実行する。
【００５４】
本実施例において、端末装置が、予め設定された位置以外に位置していると検出されることさえであれば、端末装置の警報モードを起動し、これにより端末装置に、例えば家及び会社以外の使用環境における保護を提供する。
【００５５】
図４はもう一つの例示的な実施例にかかる、端末装置を保護する方法のフローチャートであり、図４に示すように、端末装置を保護する該方法は端末装置に使用され、該実施例において、前記端末装置の警報モードを起動する、予め設定された条件は、端末装置の実行中のアプリケーションが、所定のアプリケーションであることである。該方法は以下のステップを含む。
【００５６】
ステップＳ４０１において、端末装置にイヤホンが挿入されているか否かを判断し、挿入されている場合はステップＳ４０２を実行し、挿入されていない場合はそれで終了する。
【００５７】
ステップＳ４０２において、イヤホンが挿入された端末装置の実行中のアプリケーションを取得する。
【００５８】
ステップＳ４０３において、端末装置の実行中のアプリケーションが所定のアプリケーションであるか否かを判断し、所定のアプリケーションである場合はステップＳ４０４を実行し、所定のアプリケーションでない場合はそれで終了する。
【００５９】
例えば、所定のアプリケーションが音楽プレイヤーアプリケーション、ラジオ聴取アプリケーション、電話の受け取りアプリケーションであり、ユーザがこれらのアプリケーションを使用するとき、携帯電話をポケットに入れておく可能性がある。
ステップＳ４０４において、端末装置の警報モードを起動する。
【００６０】
ステップＳ４０５において、端末装置に挿入されているイヤホンが抜かれたか否かを検出し、抜かれた場合はステップＳ４０６を実行し、抜かれてない場合は再び該ステップを実行する。
【００６１】
ステップＳ４０６において、警報を出す操作を実行する。
【００６２】
本実施例において、端末装置の実行中のアプリケーションが所定のアプリケーションであると検出されることさえであれば（通常、ユーザはこれらのアプリケーションを使用するとき、イヤホンを端末装置に挿入した後、端末装置をポケットに入れる）、端末装置の警報モードを起動し、これにより、イヤホンを使用する端末装置に保護を提供することができる。
【００６３】
図５はもう一つの例示的な実施例にかかる、端末装置を保護する方法のフローチャートであり、図５に示すように、該端末装置を保護する方法は端末装置に使用され、該実施例において、前記端末装置の警報モードを起動する、予め設定された条件は、端末装置のスクリーンの状態がオフ状態に置かれていることである。該方法は以下のステップを含む。
【００６４】
ステップＳ５０１において、端末装置にイヤホンが挿入されているか否かを判断し、挿入されている場合はステップＳ５０２を実行し、挿入されていない場合はそれで終了する。
【００６５】
ステップＳ５０２において、イヤホンが挿入されている端末装置のスクリーン状態を取得する。
【００６６】
ステップＳ５０３において、端末装置のスクリーン状態がオフ状態に置かれているか否かを判断し、オフ状態に置かれている場合はステップＳ５０４を実行し、オフ状態に置かれていない場合はそれで終了する。
【００６７】
ステップＳ５０４において、端末装置の警報モードを起動する。
【００６８】
ステップＳ５０５において、端末装置に挿入されたイヤホンが抜かれたか否かを検出し、抜かれた場合はステップＳ５０６を実行し、抜かれてない場合は再び該ステップを実行する。
【００６９】
ステップＳ５０６において、警報を出す操作を実行する。
【００７０】
本実施例において、端末装置のスクリーンがオフ状態に置かれていると検出された場合、端末装置の警報モードを起動し、従って、ユーザがイヤホンを使用して動画を見たり又はゲームしたりするときも警報モードを起動することで資源を無駄にするようなことを避けた。通常、ユーザが動画を見たり又はゲームしたりするときは、端末装置が容易に盗まれない。
【００７１】
図６はもう一つの例示的な実施例にかかる、端末装置を保護する方法のフローチャートであり、図６に示すように、端末装置を保護する該方法は端末装置に使用され、該実施例において、前記端末装置のフロントカメラが捉えた画像を取得し、画像の中に人の顔が含まれたときは前記端末装置の警報モードを起動しない。該方法は以下のステップを含む。
【００７２】
ステップＳ６０１において、端末装置にイヤホンが挿入されているか否かを判断し、挿入されている場合はステップＳ６０２を実行し、挿入されていない場合はそれで終了する。
【００７３】
ステップＳ６０２において、前記端末装置のフロントカメラが捉えた画像を取得する。
【００７４】
ステップＳ６０３において、取得された画像の中に人の顔が写っているか否かを判断し、写ってない場合はステップＳ６０４を実行し、写っている場合は終了する。
更に、例えば端末装置の持ち主等、所定の人の顔でもよい。
【００７５】
ステップＳ６０４において、端末装置の警報モードを起動する。
【００７６】
ステップＳ６０５において、端末装置に挿入されたイヤホンが抜かれたか否かを検出し、抜かれた場合はステップＳ６０６を実行し、抜かれてない場合は再び該ステップを実行する。
【００７７】
ステップＳ６０６において、警報を出す操作を実行する。
【００７８】
本実施例において、フロントカメラが捉えた画像の中に人の顔が含まれると、端末装置の警報モードを起動しない。通常、フロントカメラが捉えた画像の中に人の顔が含まれているということは、ユーザが端末装置と向かい合っているということを表し、このような使用状況で、端末装置が容易に盗まれない。従って、警報モードを起動するという資源の無駄を避けた。
【００７９】
本発明のもう一つの実施例において、警報を出す操作を実行しているとき、該端末装置へのイヤホンの再び挿入が検出されても、引き続き警報を出す操作を実行することができる。
【００８０】
本発明のその他の実施例において、上述した実施例の二つ又は二つ以上を組み合わせることができる。例えば、端末装置の実行中のアプリケーションが所定のアプリケーションであるか否かを判断することと端末装置のスクリーン状態がオフ状態に置かれているか否かを判断することを組み合わせることができる。端末装置の実行中のアプリケーションが音楽プレイヤーアプリケーションであり、且つ端末装置のスクリーンがオフ状態に置かれている場合、警報を出す操作を実行する。通常、スクリーンがオン状態に置かれているということは、ユーザが可視範囲内で使用しているということを表し、警報を出す必要がない。更に例えば、取得されたＧＰＳ情報が予め設定された位置以外に位置しているか否かを判断することと取得されたフロントカメラが捉えた画像の中に人の顔が含まれているか否かを判断することを組み合わせ、端末装置のＧＰＳ情報が予め設定された位置以外位置しており、且つ端末装置のフロントカメラが捉えた画像の中に人の顔が含まれていない場合、警報を出す操作を起動する。これは、端末装置のＧＰＳ情報が予め設定された位置以外に位置しても、ユーザが向き合って該端末装置を使用しているので、警報を出す操作を起動しなくてもよいからである。従って、資源を節約できる。
【００８１】
以上のように、当業者であれば以下のことが理解できる。すなわち、本発明が提供する端末装置を保護する方法は、端末装置において予め設定された条件を満たしている場合、端末装置に自動的に警報モードを起動することを目的とし、できるだけユーザの正常の操作についての妨害を下げ、携帯電話をなくしやすい場合に、ユーザが手動で警報モードを起動すべき操作習慣にかかる時間コストを削減する。また、自動的に警報モードを起動することができるため、ユーザが警報モードを選択するのを忘れてしまい、又は警報モードを選択することに間に合わない時、携帯電話をなくしてしまうような状況が発生するのをある程度避けることができ、「イヤホンが抜かれると素早く警報を出す」機能が更に優れたユーザ体験及び更によい実行効果を奏することとなる。予め設定された条件の詳細については、状況に応じて設定することができ、本発明に例示された実施例に限定されない。
【００８２】
図７は一つの例示的な実施例にかかる端末装置を保護する装置の模式図であり、図７に示すように、該装置は取得モジュール７０１、判断モジュール７０２及び起動モジュール７０３を含む。
【００８３】
該取得モジュール７０１はイヤホンが挿入されている端末装置の状態情報を取得するように配置され、
該判断モジュール７０２は前記状態情報が予め設定された条件を満たしているか否かを判断するように配置され、
該起動モジュール７０３は前記状態情報が予め設定された条件を満たしている場合、前記端末装置の警報モードを起動するように配置されている。
【００８４】
ここで、状態情報には、前記端末装置が置かれている環境情報、該端末装置の運動情報、該端末装置の実行中のアプリケーション、該端末装置のスクリーンがオフ状態になっているか及び、該端末装置のフロントカメラが捉えた画像の中に人の顔が写っているか、の中の一つ又は複数を含む。
【００８５】
ここで、前記端末装置が置かれている環境情報は、該端末装置のＧＰＳ情報及び該端末装置が置かれているＷｉ−Ｆｉネットワークの名称の中の一つ又は複数を含む。
【００８６】
図８に示すように、前記装置は更に検出モジュール７０４及び実行モジュール７０５を含む。
【００８７】
該検出モジュール７０４は、前記端末装置の警報モードが起動された後、前記イヤホンが抜かれたか否かを検出するように配置され、
該実行モジュール７０５は前記イヤホンが抜かれたと検出された場合、警報を出す操作を実行するように配置されている。
【００８８】
ここで、警報を出す操作は音声警報、振動警報、フラッシュ警報及びパスワードでロックを解除すべきスクリーンロック操作の中の一つ又は複数を含む。
【００８９】
ここで、該実行モジュール７０５は更に、警報を出す操作を実行しているとき、前記端末装置へのイヤホンの挿入が検出されても、引き続き警報を出す操作を実行するように配置されている。
【００９０】
上述した実施例における装置に関しては、各モジュールが操作を実行する具体的な方法は、既に関連方法にかかる実施例において詳細に説明され、ここでは繰り返し説明しない。
【００９１】
図９は、例示的な実施例に示される端末装置の保護に用いられる装置８００のブロック図である。例えば、装置８００は、携帯電話、コンピューター、デジタル放送端末、メッセージ送受信デバイス、ゲームコンソール、タブレットデバイス、医療デバイス、健康デバイス、パーソナルデジタルアシスタント等であってもよい。
【００９２】
図９を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【００９３】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００９４】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（ＥｌｅｃｔｒｉｃａｌｌｙＥｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００９５】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９６】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００９７】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９８】
センサアセンブリ８１４は、装置８００に各方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９９】
通信アセンブリ８１６は、装置８００と他の機器の間に有線、又は无線形態の通信を提供する。装置８００は、例えばＷｉＦｉ、２Ｇ、３Ｇ、或はこれらの組み合わせのような、通信規格に基づいた无線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１００】
例示的な実施例において、装置８００は、一つ以上のＡＳＩＣ（Ａｐｐｌｉｃａｔｉｏｎ  ＳｐｅｃｉｆｉｃＩｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ ＰｒｏｃｅｓｓｉｎｇＤｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１０１】
例示的な実施例において、さらに、命令を含むコンピュータ読取り可能な非一時的な記録媒体、例えば命令を含むメモリ８０４を提供しており、装置８００のプロセッサ８２０により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１０２】
不発揮性コンピューター読取可能な記録媒体として、前記記録媒体における指令が端末装置のプロセッサによって実行される場合に、移動端末が端末装置を保護する方法を実行することができるようにする。
【０１０３】
前記方法において、イヤホンが挿入されている端末装置の状態情報を取得し、前記状態情報が予め設定された条件を満たしているか否かを判断し、前記状態情報が予め設定された条件を満たしている場合、前記端末装置の警報モードを起動する。
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１０４】
本発明は、上記で説明した、また図面において示した精確な構造に限定されず、その範囲を逸脱しない前提のもとで種々の変更及び修正を行うことができることを理解すべきである。本発明の範囲は付された特許請求の範囲によってのみ限定される。
【図１】
0006461087.tif 000002
【図２】
0006461087.tif 000003
【図３】
0006461087.tif 000004
【図４】
0006461087.tif 000005
【図５】
0006461087.tif 000006
【図６】
0006461087.tif 000007
【図７】
0006461087.tif 000008
【図８】
0006461087.tif 000009
【図９】
0006461087.tif 000010